(57)【特許請求の範囲】
【請求項１】
供給される入力信号と成形制御信号とを混合して成形信号を生成するミキサと、
前記供給される入力信号の周波数に応じた直流信号の成形制御信号を発生して前記ミキサに与える成形制御手段と、
前記供給される入力信号を周波数変換するためのローカル周波数及び周囲温度の変化に応じて前記成形制御手段が発生する成形制御信号を補正するための成形補正信号を発生する信号補正手段と
を備えた送信装置。
【発明の詳細な説明】
【０００１】
【発明の属する技術分野】
この発明は、送信装置に関し、特にレーダ装置に利用する送信装置に関するものである。
【０００２】
【従来の技術】
図７は従来の送信装置の一部を示すブロック図であり、図において、１は入力信号であるＩＦ（中間周波）パルス信号を増幅するＩＦ増幅器、２は可変アッテネータ、３は可変アッテネータ２のＡＴＴ（アッティテータ）減衰特性を制御する波形成形制御回路部、４は入力する２系統の信号を混合するミキサ、５は異なる周波数のローカル発振信号を発生する複数の発振器（５−１〜５−ｎ）で構成されたローカル発振器、６は選択信号ｆ（周波数情報）に応じて１つの周波数のローカル発振信号を選択するスイッチ、７はＲＦ（高周波）信号を増幅するＲＦ増幅器である。なお、ＩＦパルス信号は送信信号の種となる送信種信号であり、送信信号の周波数特性、パルス幅、パルス形状等の送信信号諸元はこの送信種信号によって決定される。
【０００３】
図８は図７における波形成形制御回路部３の内部構成を示すブロック図であり、図において、３１は放電用の可変抵抗、３２は充電用の可変抵抗、３３は充電用の電源、３４は回路切替用のスイッチ、３５はコンデンサ、３６はインピーダンス変換回路、３７は電流制限用の可変抵抗、３８はＰＬＤ（プログラマブル・ロジックアレイ）やＦＰＧＡ（フィールド・プログラマブル・ゲートアレイ）等からなるカスタム論理回路である。
【０００４】
次に動作について説明する。
ＩＦ増幅器１によって増幅されたＩＦパルス信号は、可変アッテネータ２に入力されて、波形成形制御回路部３から与えられる成形制御信号に応じて所望の波形成形される。このために、図８に示した波形成形制御回路部３のカスタム論理回路３８は、所望のパルス幅、パルス形状、レベル等の送信信号諸元を得るためにあらかじめプログラムされた論理回路を構成している。このカスタム論理回路３８から、スイッチ３４及び可変抵抗３１，３２，３７に対して論理信号が与えられる。この結果、スイッチ３４の充放電切替タイミングと可変抵抗３１，３２，３７の制御により、可変アッテネータ２への成形制御信号が生成される。
【０００５】
簡単な例として、図９（１）に示すように、レベルｘでｔｓからｔｅまでのパルス幅をもつＩＦパルス信号に対して、所望のパルス幅（占有帯域幅）の波形成形を行うためには、可変アッテネータ２のＡＴＴ減衰特性がｔ１からｔ２までの期間を減衰ゼロとし、他の期間を１００％減衰とするような成形制御信号が波形成形制御回路部３から与えられる。この結果、レベルｘでｔ１からｔ２までのパルス幅をもつＩＦパルス信号が出力信号として可変アッテネータ２で生成される。
【０００６】
別の簡単な例として、図９（２）に示すように、レベルｘでｔｓからｔｅまでのパルス幅をもつＩＦパルス信号に対して、所望のレベルに減衰させる波形成形を行うためには、可変アッテネータ２のＡＴＴ減衰特性を全期間に亘って一定値ｙとするような成形制御信号が波形成形制御回路部３から与えられる。この結果、レベル（ｘ−ｙ）でｔｓからｔｅまでのパルス幅をもつＩＦパルス信号が出力信号として可変アッテネータ２で生成される。すなわち、ｙの値を任意に設定することによって、所望のレベル（ｘ−ｙ）の成形信号が得られる。
ただし、実際の場合においては上記のような直線的なＡＴＴ減衰特性ではなく、後述するように複雑な曲線をもつＡＴＴ減衰特性で波形成形が行われる。
【０００７】
図７において、波形成形されて可変アッテネータ２から送出されたＩＦパルス信号はミキサ４の一方の入力部に供給される。スイッチ６は選択信号ｆの周波数情報に応じて１つの発振器を選択して、そのローカル発振信号をミキサ４の他方の入力部に供給する。したがって、ミキサ４からはＲＦ（高周波）に変換されたＲＦパルス信号が出力されてＲＦ増幅器７で増幅され、ＲＦ送信パルス信号として次段に送出される。
【０００８】
【発明が解決しようとする課題】
従来の送信装置は以上のように構成されているので、波形成形制御回路部３からは常に一定の成形制御信号が可変アッテネータ２に与えられ、入力信号のレベル変化や周波数特性の変化、周囲環境温度の変化、送信装置内における部品の電気的特性のバラツキ等の影響により、所望の占有帯域幅をもつＲＦ送信パルス信号が得られないという課題があった。また、波形成形されて可変アッテネータ２から出力される成形信号のレベルが変動するので、所望のレベルをもつＲＦ送信パルス信号が得られないという課題があった。
【０００９】
例えば、図１０（１）に示すように、レベルｘのＩＦパルス信号が可変アッテネータ２に入力され、図に示すような曲線のＡＴＴ減衰特性が波形成形制御回路部３から与えらた場合に、可変アッテネータ２からは所望の出力信号が得られる。すなわち、この出力信号をフーリエ変換した場合には、図に示すような所望の占有帯域幅ＦＷ１となる。ところが、図１０（２）に示すように、増加したレベル（ｘ＋Δ）のＩＦパルス信号が可変アッテネータ２に入力され、図１０（１）と同じ曲線のＡＴＴ減衰特性が波形成形制御回路部３から与えらた場合には、可変アッテネータ２からは所望の出力信号が得られない。すなわち、この出力信号をフーリエ変換した場合には、図に示すような広い占有帯域幅ＦＷ２になってしまう。
【００１０】
この発明は上記のような課題を解決するためになされたもので、入力信号のレベル変化や周波数特性の変化、周囲環境温度の変化の影響にかかわらず、所望の占有帯域幅をもつＲＦ送信パルス信号を送出する送信装置を得ることを目的とする。
また、この発明は、装置内における部品の電気的特性のバラツキの影響にかかわらず、所望の占有帯域幅をもつＲＦ送信パルス信号を送出する送信装置を得ることを目的とする。
また、この発明は、波形成形した後の成形信号のレベルを調整して、所望のレベルをもつＲＦ送信パルス信号を送出する送信装置を得ることを目的とする。
【００１１】
【課題を解決するための手段】
この発明に係る送信装置は、供給される入力信号と成形制御信号とを混合して成形信号を生成するミキサと、前記供給される入力信号の周波数に応じた直流信号の成形制御信号を発生して前記ミキサに与える成形制御手段と、前記供給される入力信号を周波数変換するためのローカル周波数及び周囲温度の変化に応じて前記成形制御手段が発生する成形制御信号を補正するための成形補正信号を発生する信号補正手段とを備えたものである。
【００１２】
【発明の実施の形態】
以下、この発明の実施の一形態を説明する。
実施の形態１.
図１はこの発明の実施の形態１による送信装置の一部の構成を示すブロック図であり、図において、１１は入力信号であるＩＦ（中間周波）パルス信号を増幅するＩＦ増幅器、１２は可変アッテネータ（波形成形手段）、１３は可変アッテネータ１２のＡＴＴ（アッテネータ）減衰特性を制御する波形成形制御回路部（成形制御手段）、１４は入力する２系統の信号を混合するミキサ（信号混合手段）、１５は異なる周波数のローカル発振信号を発生する複数の発振器（１５−１〜１５−ｎ）で構成されたローカル発振器、１６は選択信号ｆ（周波数情報）に応じて１つの周波数のローカル発振信号を選択するスイッチ、１７はＲＦ（高周波）信号を増幅するＲＦ増幅器、１８は選択信号ｆ及び温度信号Ｔ（周囲環境温度情報）に応じた複数のアドレスの領域に複数の補正データを記憶するメモリ（信号補正手段：記憶手段）である。なお、ＩＦパルス信号は送信信号の種となる送信種信号であり、送信信号の周波数特性、パルス幅、パルス形状等の送信信号諸元はこの送信種信号によって決定される。この送信装置は、例えばレーダ装置等幅広い範囲に適用される。
【００１３】
次に動作について説明する。
まず、信号処理に先だって、メモリ１８は、外部から選択信号ｆ（周波数情報）及び温度信号Ｔ（周囲環境温度情報）を受けて、周波数情報におけるローカル周波数及び周囲環境温度情報における周囲温度の変化に応じてアドレスを指定し、その指定アドレスの領域に記憶されている補正データを読み出して、補正データを担う成形補正信号を波形成形制御回路部１３に与える。波形成形制御回路部１３は、この成形補正信号が補正を指示する場合には、可変アッテネータ１２に与える基準の成形制御信号を補正する。成形補正信号が補正を指示しない場合には、基準の成形制御信号の補正は行わない。
【００１４】
次に、信号処理が開始されると、入力信号であるＩＦパルス信号がＩＦ増幅器１１に供給されて増幅される。増幅されたＩＦパルス信号は可変アッテネータ１２に入力される。そして、波形成形制御回路部１３から与えられる規準の又は補正された成形制御信号に応じて、入力されたＩＦパルス信号に対して波形成形を行う。波形成形されて可変アッテネータ１２から送出されたＩＦパルス信号（成形信号）はミキサ１４の一方の入力部に供給される。スイッチ１６は選択信号ｆの周波数情報に応じて１つの発振器を選択して、そのローカル発振信号をミキサ１４の他方の入力部に供給する。したがって、ミキサ１４からはＲＦ（高周波）に変換されたＲＦパルス信号が出力されてＲＦ増幅器１７で増幅され、ＲＦ送信パルス信号として次段に送出される。
【００１５】
以上のように、この実施の形態１によれば、供給される入力信号に対して成形制御信号に応じた波形成形を行って成形信号を生成する可変アッテネータ１２と、供給される入力信号の周波数に応じた成形制御信号を発生して可変アッテネータ１２に与える波形成形制御回路部１３と、供給される入力信号を周波数変換するためのローカル周波数及び周囲温度の変化に応じて波形成形制御回路部１３が発生する成形制御信号を補正するための成形補正信号を発生するメモリ１８とを備えた構成にしたことにより、入力信号のレベル変化や周波数特性の変化、周囲環境温度の変化の影響にかかわらず、所望の占有帯域幅をもつＲＦ送信パルス信号を送出できるという効果がある。
【００１６】
また、上記実施の形態１によれば、異なる周波数の複数のローカル発振信号から選択された１つのローカル発振信号と中間周波のＩＦパルス信号とを混合して、高周波のＲＦパルス信号を発生するミキサ１４を有し、可変アッテネータ１２は、ミキサ１４に入力されるＩＦパルス信号に対して波形成形を行うように構成したので、入力信号のレベル変化や周波数特性の変化、周囲環境温度の変化の影響にかかわらず、中間周波数帯域の安価な可変アッテネータを用いて、所望の占有帯域幅をもつＲＦ送信パルス信号を低コストで送出できるという効果がある。
【００１７】
実施の形態２.
図２はこの発明の実施の形態２による送信装置の一部の構成を示すブロック図であるが、各構成要素については図１に示した実施の形態１の各構成要素と基本的に同じであり、同一の符号で表すとともに、各構成要素の説明は省略する。ただし、この実施の形態２においては、可変アッテネータ１２がミキサ１４よりも後段に配置されている。すなわち、可変アッテネータ１２は高周波信号であるＲＦパルス信号に対して波形成形を行う。このため、可変アッテネータ１２は実施の形態１の場合よりも使用周波数帯域が高い規格のものになっている。
【００１８】
次に動作について説明する。
まず、信号処理に先だって、メモリ１８は、外部から選択信号ｆ（周波数情報）及び温度信号Ｔ（周囲環境温度情報）を受けて、周波数情報におけるローカル周波数及び周囲環境温度情報における周囲温度の変化に応じてアドレスを指定し、その指定アドレスの領域に記憶されている補正データを読み出して、補正データを担う成形補正信号を波形成形制御回路部１３に与える。波形成形制御回路部１３は、この成形補正信号が補正を指示する場合には、可変アッテネータ１２に与える基準の成形制御信号を補正する。成形補正信号が補正を指示しない場合には、基準の成形制御信号の補正は行わない。
【００１９】
次に、信号処理が開始されると、入力信号であるＩＦパルス信号がＩＦ増幅器１１に供給されて増幅される。増幅されたＩＦパルス信号はミキサ１４の一方の入力部に供給される。スイッチ１６は選択信号ｆの周波数情報に応じて１つの発振器を選択して、そのローカル発振信号をミキサ１４の他方の入力部に供給する。したがって、ミキサ１４からはＲＦ（高周波）に変換されたＲＦパルス信号が出力されて可変アッテネータ１２に入力される。そして、波形成形制御回路部１３から与えられる規準の又は補正された成形制御信号に応じて、入力されたＲＦパルス信号に対して波形成形を行う。波形成形されて可変アッテネータ１２から送出されたＲＦパルス信号（成形信号）はＲＦ増幅器１７で増幅され、ＲＦ送信パルス信号として次段に送出される。
【００２０】
以上のように、この実施の形態２によれば、異なる周波数の複数のローカル発振信号から選択された１つのローカル発振信号と中間周波のＩＦパルス信号とを混合して、高周波のＲＦパルス信号を発生するミキサ１４を有し、可変アッテネータ１２は、ミキサ１４から出力されるＲＦパルス信号に対して波形成形を行うようにしたので、入力信号のレベル変化や周波数特性の変化、周囲環境温度の変化の影響にかかわらず、より最終段に近い高周波信号に対して波形成形を行うことで、所望の占有帯域幅をもつＲＦ送信パルス信号を高い精度で送出できるという効果がある。
【００２１】
実施の形態３.
図３はこの発明の実施の形態３による送信装置の一部の構成を示すブロック図であり、図において、１９は可変アッテネータ（レベル調整手段）、２０は可変アッテネータ１９にレベル調整信号を与える送信レベル調整部（レベル調整手段）である。他の構成要素については、図１に示した各構成要素と同じであり、同一の符号で表すとともに説明は省略する。
【００２２】
次に動作について説明する。
まず、信号処理に先だって、メモリ１８は、外部から選択信号ｆ（周波数情報）及び温度信号Ｔ（周囲環境温度情報）を受けて、周波数情報におけるローカル周波数及び周囲環境温度情報における周囲温度の変化に応じてアドレスを指定し、その指定アドレスの領域に記憶されている補正データを読み出して、補正データを担う成形補正信号を波形成形制御回路部１３に与え、補正データを担うレベル補正信号を送信レベル調整部２０に与える。
【００２３】
波形成形制御回路部１３は、この成形補正信号が補正を指示する場合には、可変アッテネータ１２に与える基準の成形制御信号を補正する。成形補正信号が補正を指示しない場合には、基準の成形制御信号の補正は行わない。同様に、送信レベル調整部２０は、レベル補正信号が補正を指示する場合には、可変アッテネータ１９に与える基準のレベル調整信号を補正する。レベル補正信号が補正を指示しない場合には、基準のレベル調整信号の補正は行わない。
【００２４】
なお、成形制御信号を発生する波形成形制御回路部１３の動作と、レベル調整信号を発生する送信レベル調整部２０の動作は、ローカル周波数及び周囲温度の変化に応じた補正データを担う成形補正信号及びレベル補正信号をメモリ１８から与えられるにもかかわらず、互いに独立した動作となっている。
【００２５】
次に、信号処理が開始されると、入力信号であるＩＦパルス信号がＩＦ増幅器１１に供給されて増幅される。増幅されたＩＦパルス信号は可変アッテネータ１２に入力される。そして、波形成形制御回路部１３から与えられる規準の又は補正された成形制御信号に応じて、入力されたＩＦパルス信号に対して波形成形を行う。波形成形されて可変アッテネータ１２から送出されたＩＦパルス信号（成形信号）は可変アッテネータ１９に入力される。そして、送信レベル調整部２０から与えられる基準の又は補正されたレベル調整信号に応じて入力されたＩＦパルス信号のレベルを調整する。
【００２６】
レベル調整されたＩＦパルス信号は、ミキサ１４の一方の入力部に供給される。スイッチ１６は選択信号ｆの周波数情報に応じて１つの発振器を選択して、そのローカル発振信号をミキサ１４の他方の入力部に供給する。したがって、ミキサ１４からはＲＦ（高周波）に変換されたＲＦパルス信号が出力されてＲＦ増幅器１７で増幅され、ＲＦ送信パルス信号として次段に送出される。
【００２７】
以上のように、この実施の形態３によれば、可変アッテネータ１２によって波形成形されたＩＦパルス信号のレベルを、供給される入力信号を周波数変換するためのローカル周波数及び周囲温度の変化に応じて、波形成形制御回路部１３とは独立して中間周波のＩＦパルス信号を調整する送信レベル調整部２０をさらに有するように構成したので、入力信号のレベル変化や周波数特性の変化、周囲環境温度の変化の影響にかかわらず、中間周波数帯域の可変アッテネータ１２を用いて、所望の占有帯域幅をもつＲＦ送信パルス信号を低コストで送出できるという効果がある。また、波形成形した後の成形信号のレベルを調整して、所望のレベルをもつＲＦ送信パルス信号を送出できるという効果がある。
【００２８】
さらに、この実施の形態３によれば、異なる周波数の複数のローカル発振信号から選択された１つのローカル発振信号と中間周波信号とを混合して高周波信号を発生するミキサ１４を有し、送信レベル調整部２０は、ミキサ１４に入力される中間周波のＩＦパルス信号に対してレベル調整を行うように構成したので、中間周波数帯域の安価な可変アッテネータ１９を用いて、波形成形した後の成形信号のレベルを調整して、所望のレベルをもつＲＦ送信パルス信号を低コストで送出できるという効果がある。
【００２９】
実施の形態４.
図４はこの発明の実施の形態４による送信装置の一部の構成を示すブロック図であるが、各構成要素は図３に示した実施の形態３の各構成要素と基本的に同じであり、同一の符号で表すとともに、各構成要素の説明は省略する。ただし、この実施の形態４においては、可変アッテネータ１２及びその後段の可変アッテネータ１９がミキサ１４よりも後段に配置されている。すなわち、可変アッテネータ１２はＲＦパルス信号に対して波形成形を行い、可変アッテネータ１９は波形成形されたＲＦパルス信号に対してレベル調整を行う。このため、可変アッテネータ１２及びその後段の可変アッテネータ１９は実施の形態３の場合よりも使用周波数帯域が高い規格のものになっている。
【００３０】
なお、実施の形態３と同様に、成形制御信号を発生する波形成形制御回路部１３の動作と、レベル調整信号を発生する送信レベル調整部２０の動作は、ローカル周波数及び周囲温度の変化に応じた補正データをメモリ１８から与えられるにもかかわらず、互いに独立した動作となっている。
【００３１】
次に動作について説明する。
まず、信号処理に先だって、メモリ１８は、外部から選択信号ｆ（周波数情報）及び温度信号Ｔ（周囲環境温度情報）を受けて、周波数情報におけるローカル周波数及び周囲環境温度情報における周囲温度の変化に応じてアドレスを指定し、その指定アドレスの領域に記憶されている補正データを読み出して、補正データを担う成形補正信号を波形成形制御回路部１３に与え、補正データを担うレベル補正信号を送信レベル調整部２０に与える。
【００３２】
波形成形制御回路部１３は、この成形補正信号が補正を指示する場合には、可変アッテネータ１２に与える基準の成形制御信号を補正する。成形補正信号が補正を指示しない場合には、基準の成形制御信号の補正は行わない。同様に、送信レベル調整部２０は、レベル補正信号が補正を指示する場合には、可変アッテネータ１９に与える基準のレベル調整信号を補正する。レベル補正信号が補正を指示しない場合には、基準のレベル調整信号の補正は行わない。
【００３３】
次に、信号処理が開始されると、入力信号であるＩＦパルス信号がＩＦ増幅器１１に供給されて増幅される。増幅されたＩＦパルス信号はミキサ１４の一方の入力部に供給される。スイッチ１６は選択信号ｆの周波数情報に応じて１つの発振器を選択して、そのローカル発振信号をミキサ１４の他方の入力部に供給する。したがって、ミキサ１４からはＲＦ（高周波）に変換されたＲＦパルス信号が出力されて可変アッテネータ１２に入力される。そして、波形成形制御回路部１３から与えられる規準の又は補正された成形制御信号に応じて、入力されたＲＦパルス信号に対して波形成形を行う。
【００３４】
波形成形されて可変アッテネータ１２から送出されたＲＦパルス信号（成形信号）は可変アッテネータ１９に入力される。そして、送信レベル調整部２０から与えられるレベル調整信号に応じて入力されたＩＦパルス信号のレベルを調整する。レベル調整されたＩＦパルス信号はＲＦ増幅器１７で増幅され、ＲＦ送信パルス信号として次段に送出される。
【００３５】
以上のように、この実施の形態４によれば、異なる周波数の複数のローカル発振信号から選択された１つのローカル発振信号と中間周波信号とを混合して高周波信号を発生するミキサ１４を有し、送信レベル調整部２０は、ミキサ１４から出力される高周波のＲＦパルス信号に対してレベル調整を行うように構成したので、より最終段階に近い状態の成形信号のレベルを調整することにより、所望のレベルをもつＲＦ送信パルス信号を高い精度で送出できるという効果がある。
【００３６】
実施の形態５.
図５はこの発明の実施の形態５による送信装置の一部の構成を示すブロック図であり、図において、２１は出力されるＲＦ送信パルス信号を分配する分配器、２２は分配器２１によって分配されたＲＦ送信パルス信号のレベルを測定する送信レベル測定部（レベル測定手段）である。他の各構成要素は、図３に示した実施の形態３における各構成要素と基本的に同じであり、同一の符号で表すとともにその説明は省略する。
【００３７】
ただし、図３の場合には、送信レベル調整部２０に与えられるレベル補正信号はメモリ１８から供給されたが、図５の場合には、送信レベル調整部２０に与えられるレベル補正信号は送信レベル測定部２２から与えられる。また、メモリ１８にもこのレベル補正信号が送信レベル測定部２２から与えられる。
【００３８】
次に動作について説明する。
まず、信号処理に先だって、メモリ１８は、外部から選択信号ｆ（周波数情報）及び温度信号Ｔ（周囲環境温度情報）を受けて、周波数情報におけるローカル周波数及び周囲環境温度情報における周囲温度の変化に加えて、送信レベル測定部２２からのレベル補正信号に応じてアドレスを指定し、その指定アドレスの領域に記憶されている補正データを読み出して、補正データを担う成形補正信号を波形成形制御回路部１３に与える。波形成形制御回路部１３は、この成形補正信号が補正を指示する場合には、可変アッテネータ１２に与える基準の成形制御信号を補正する。成形補正信号が補正を指示しない場合には、基準の成形制御信号の補正は行わない。
【００３９】
また、送信レベル調整部２０は、送信レベル測定部２２から与えられる測定値に基づくレベル補正信号が補正を指示する場合には、可変アッテネータ１９に与える基準のレベル調整信号を補正する。レベル補正信号が補正を指示しない場合には、基準のレベル調整信号の補正は行わない。
【００４０】
次に、信号処理が開始されると、入力信号であるＩＦパルス信号がＩＦ増幅器１１に供給されて増幅される。増幅されたＩＦパルス信号は可変アッテネータ１２に入力される。そして、波形成形制御回路部１３から与えられる規準の又は補正された成形制御信号に応じて、入力されたＩＦパルス信号に対して波形成形を行う。波形成形されて可変アッテネータ１２から送出されたＩＦパルス信号（成形信号）は可変アッテネータ１９に入力される。そして、送信レベル調整部２０から与えられる基準の又は補正されたレベル調整信号に応じて入力されたＩＦパルス信号のレベルを調整する。
【００４１】
レベル調整されたＩＦパルス信号は、ミキサ１４の一方の入力部に供給される。スイッチ１６は選択信号ｆの周波数情報に応じて１つの発振器を選択して、そのローカル発振信号をミキサ１４の他方の入力部に供給する。したがって、ミキサ１４からはＲＦ（高周波）に変換されたＲＦパルス信号が出力されてＲＦ増幅器１７で増幅される。増幅されたＲＦパルス信号は分配器２１に入力され、その出力がＲＦ送信パルス信号として次段に送出される一方、出力の一部が送信レベル測定部２２に入力される。
【００４２】
送信レベル測定部２２は、入力されたＲＦ送信パルス信号のレベルを測定し、その測定値に基づくレベル補正信号をメモリ１８及び送信レベル調整部２０に送出する。メモリ１８は、上記したように、この測定値に基づくレベル補正信号並びにローカル周波数及び周囲温度の変化に応じて、成形補正信号を発生して波形成形制御回路部１３に与える。また、送信レベル調整部２０は、この測定値に基づくレベル補正信号に応じて、レベル調整信号を発生して可変アッテネータ１９に与える。
【００４３】
以上のように、この実施の形態５によれば、外部に出力される送信信号のレベルを測定する送信レベル測定部２２を有し、メモリ１８は、ローカル周波数及び周囲温度の変化に加え、送信レベル測定部２２によって測定された測定値に応じて、波形成形制御回路部１３が発生する成形制御信号を補正するための成形補正信号を発生するように構成したので、外部に出力する送信信号のレベルをフィードバックして波形成形を行うことにより、装置内における部品の電気的特性のバラツキの影響にかかわらず、所望の占有帯域幅をもつＲＦ送信パルス信号を送出できるという効果がある。
【００４４】
さらに、この実施の形態５によれば、外部に出力される送信信号のレベルを測定する送信レベル測定部２２を有し、送信レベル調整部２０は、送信レベル測定部２２によって測定された測定値に応じて、レベル調整信号を発生するように構成したので、装置内における部品の電気的特性のバラツキの影響にかかわらず、波形成形した後の成形信号のレベルを調整して、所望のレベルをもつＲＦ送信パルス信号を送出できるという効果がある。
【００４５】
実施の形態６.
図６はこの発明の実施の形態６による送信装置の一部の構成を示すブロック図であるが、各構成要素は図５に示した実施の形態５の各構成要素と基本的に同じであり、同一の符号で表すとともに、各構成要素の説明は省略する。ただし、この実施の形態６においては、可変アッテネータ１２はミキサ１４よりも前段に配置され、可変アッテネータ１９はミキサ１４よりも後段に配置されている。すなわち、可変アッテネータ１２はＩＦパルス信号に対して波形成形を行い、可変アッテネータ１９はＲＦパルス信号に対してレベル調整を行う。このため、可変アッテネータ１２は中間周波数帯域の規格のもので、可変アッテネータ１９は高周波帯域の規格のものになっている。
【００４６】
なお、実施の形態５と同様に、送信レベル調整部２０に与えられるレベル補正信号は送信レベル測定部２２から与えられる。また、メモリ１８にもこのレベル補正信号が送信レベル測定部２２から与えられる。
【００４７】
次に動作について説明する。
まず、信号処理に先だって、メモリ１８は、外部から選択信号ｆ（周波数情報）及び温度信号Ｔ（周囲環境温度情報）を受けて、周波数情報におけるローカル周波数及び周囲環境温度情報における周囲温度の変化、並びに送信レベル測定部２２からのレベル補正信号に応じてアドレスを指定し、その指定アドレスの領域に記憶されている補正データを読み出して、補正データを担う成形補正信号を波形成形制御回路部１３に与える。波形成形制御回路部１３は、この成形補正信号が補正を指示する場合には、可変アッテネータ１２に与える基準の成形制御信号を補正する。成形補正信号が補正を指示しない場合には、基準の成形制御信号の補正は行わない。
【００４８】
また、送信レベル調整部２０は、送信レベル測定部２２から与えられる測定値に基づくレベル補正信号が補正を指示する場合には、可変アッテネータ１９に与える基準のレベル調整信号を補正する。レベル補正信号が補正を指示しない場合には、基準のレベル調整信号の補正は行わない。
【００４９】
次に、信号処理が開始されると、入力信号であるＩＦパルス信号がＩＦ増幅器１１に供給されて増幅される。増幅されたＩＦパルス信号は可変アッテネータ１２に入力される。そして、波形成形制御回路部１３から与えられる規準の又は補正された成形制御信号に応じて、入力されたＩＦパルス信号に対して波形成形を行う。波形成形されて可変アッテネータ１２から送出されたＩＦパルス信号（成形信号）はミキサ１４の一方の入力部に供給される。スイッチ１６は選択信号ｆの周波数情報に応じて１つの発振器を選択して、そのローカル発振信号をミキサ１４の他方の入力部に供給する。
【００５０】
したがって、ミキサ１４からはＲＦ（高周波）に変換されたＲＦパルス信号が出力されて可変アッテネータ１９に入力される。そして、送信レベル調整部２０から与えられる基準の又は補正されたレベル調整信号に応じて入力されたＩＦパルス信号のレベルを調整する。レベル調整されたＩＦパルス信号は、ＲＦ増幅器１７で増幅されて分配器２１に入力され、その出力がＲＦ送信パルス信号として次段に送出される一方、出力の一部が送信レベル測定部２２に入力される。
【００５１】
送信レベル測定部２２は、入力されたＲＦ送信パルス信号のレベルを測定し、その測定値に基づくレベル補正信号をメモリ１８及び送信レベル調整部２０に送出する。メモリ１８は、上記したように、この測定値に基づくレベル補正信号並びにローカル周波数及び周囲温度の変化に応じて、成形補正信号を発生して波形成形制御回路部１３に与える。また、送信レベル調整部２０は、この測定値に基づくレベル補正信号に応じて、レベル調整信号を発生して可変アッテネータ１９に与える。
【００５２】
以上のように、この実施の形態６によれば、外部に出力される送信信号のレベルを測定する送信レベル測定部２２を有し、メモリ１８は、ローカル周波数及び周囲温度の変化に加え、送信レベル測定部２２によって測定された測定値に応じて、波形成形制御回路部１３が発生する成形制御信号を補正するための成形補正信号を発生するように構成したので、外部に出力する送信信号のレベルをフィードバックして波形成形を行うことにより、装置内における部品の電気的特性のバラツキの影響にかかわらず、所望の占有帯域幅をもつＲＦ送信パルス信号を送出できるという効果がある。
【００５３】
さらに、この実施の形態６によれば、外部に出力される送信信号のレベルを測定する送信レベル測定部２２を有し、送信レベル調整部２０は、送信レベル測定部２２によって測定された測定値に応じて、レベル調整信号を発生するように構成したので、外部に出力する送信信号のレベルをフィードバックしてレベル調整を行うことにより、装置内における部品の電気的特性のバラツキの影響にかかわらず、波形成形した後の成形信号のレベルを調整して、所望のレベルをもつＲＦ送信パルス信号を送出できるという効果がある。
【００５４】
さらに、上記実施の形態６によれば、異なる周波数の複数のローカル発振信号から選択された１つのローカル発振信号と中間周波のＩＦパルス信号とを混合して高周波のＲＦパルス信号を発生するミキサ１４を有し、可変アッテネータ１２は、ミキサ１４に入力されるＩＦパルス信号に対して波形成形を行い、可変アッテネータ１９は、ミキサ１４から出力されるＲＦパルス信号に対してレベル調整を行うように構成したので、中間周波数帯域の安価な可変アッテネータ１２により低コストで波形成形を行い、可変アッテネータ１９により波形成形された後、及びミキサ１４で混合された後のＲＦパルス信号に対して、より最終段に近い状態でレベル調整を行うことで、高い制度でレベル調整を行うという効果がある。
【００５５】
なお、上記実施の形態６においては、ミキサ１４を可変アッテネータ１２及び１９の間に配置したが、実施の形態４のように、ミキサ１４を可変アッテネータ１２より前段に配置する構成にしてもよい。またこれとは反対に、実施の形態４におけるミキサ１４を可変アッテネータ１２及び１９の間に配置する構成にしてもよい。要は、目的及びコスト等との関係から、実施の形態に応じた効果が得られるように、様々なバリエーションで構成することが可能である。
【００５６】
実施の形態７.
実施の形態７は、上記実施の形態１から実施の形態６において、波形成形を行う可変アッテネータ１２の代わりに、可変アッテネータと同様に簡単な回路構成のミキサを用いて波形成形を行う構成にしたものである。他の構成については、実施の形態１から実施の形態６のものと同じである。
【００５７】
以上のように、この実施の形態７によれば、実施の形態１から実施の形態６の場合と同様に、通常の回路構成により、入力信号のレベル変化や周波数特性の変化、周囲環境温度の変化の影響にかかわらず、所望の占有帯域幅をもつＲＦ送信パルス信号を低コストで送出できるという効果がある。
【００５８】
実施の形態８.
実施の形態８は、上記実施の形態１から実施の形態６において、波形成形を行う可変アッテネータ１２の代わりに、可変アッテネータと同様に簡単な回路構成の可変フィルタを用いて波形成形を行う構成にしたものである。他の構成については、実施の形態１から実施の形態６のものと同じである。
【００５９】
以上のように、この実施の形態８によれば、実施の形態１から実施の形態６の場合と同様に、通常の回路構成により、入力信号のレベル変化や周波数特性の変化、周囲環境温度の変化の影響にかかわらず、所望の占有帯域幅をもつＲＦ送信パルス信号を低コストで送出できるという効果がある。
【００６０】
【発明の効果】
以上のように、この発明によれば、供給される入力信号と成形制御信号とを混合して成形信号を生成するミキサと、前記供給される入力信号の周波数に応じた直流信号の成形制御信号を発生して前記ミキサに与える成形制御手段と、前記供給される入力信号を周波数変換するためのローカル周波数及び周囲温度の変化に応じて前記成形制御手段が発生する成形制御信号を補正するための成形補正信号を発生する信号補正手段とを備えるように構成したので、通常の回路構成により、入力信号のレベル変化や周波数特性の変化、周囲環境温度の変化の影響にかかわらず、所望の占有帯域幅をもつ送信信号を低コストで送出できるという効果がある。
【図面の簡単な説明】
【図１】この発明の実施の形態１による送信装置の一部を示すブロック図である。
【図２】この発明の実施の形態２による送信装置の一部を示すブロック図である。
【図３】この発明の実施の形態３による送信装置の一部を示すブロック図である。
【図４】この発明の実施の形態４による送信装置の一部を示すブロック図である。
【図５】この発明の実施の形態５による送信装置の一部を示すブロック図である。
【図６】この発明の実施の形態６による送信装置の一部を示すブロック図である。
【図７】従来例における送信装置の一部を示すブロック図である。
【図８】波形成形制御回路部の内部構成を示すブロック図である。
【図９】波形成形の一例を示す説明図である。
【図１０】可変アッテネータからの出力信号をフーリエ変換した場合の一例を示す説明図である。
【符号の説明】
１１  ＩＦ増幅器、１２  可変アッテネータ（波形成形手段）、１３  波形成形制御回路部（成形制御手段）、１４  ミキサ（信号混合手段）、１５  ローカル発振器、１６  スイッチ、１７  ＲＦ増幅器、１８  メモリ（信号補正手段：記憶手段）、１９  可変アッテネータ（レベル調整手段）、２０  送信レベル調整部（レベル調整手段）、２１  分配器、２２  送信レベル測定部（レベル測定手段）。
【図１】
0003598980.tif 000002
【図２】
0003598980.tif 000003
【図３】
0003598980.tif 000004
【図４】
0003598980.tif 000005
【図５】
0003598980.tif 000006
【図６】
0003598980.tif 000007
【図７】
0003598980.tif 000008
【図８】
0003598980.tif 000009
【図９】
0003598980.tif 000010
【図１０】
0003598980.tif 000011